(57)【特許請求の範囲】
【請求項１】
メインスイッチの操作によって電源供給モード以外にシステムへの電源供給モードを複数設定可能な複写機システムにおいて，
前記メインスイッチのオン／オフの状態に対応した複数の設定可能な前記システムへの電源供給モードの表示，およびシステムの動作モードを設定するための表示手段と，
前記メインスイッチがオフ状態の，前記電源供給モード以外の前記システムへの電源供給モードの場合には，前記表示手段に表示される前記システムの動作モードの表示のうちオペレータ操作要因となる表示を停止し，前記メインスイッチがオン状態の前記電源供給モードの場合には前記表示手段にオペレータ操作を含む全ての操作要因を表示させるように制御するメイン制御手段と，
を備えたことを特徴とする複写機システム。
【請求項２】
前記メイン制御手段は，前記システムの動作モードを複数設定可能であって，前記システムへの電源供給再開要因に応じて複数設定可能な前記システムの動作モードのうちいずれかを実行することを特徴とする請求項１に記載の複写機システム。
【請求項３】
前記メイン制御手段は，同一のシステムの動作モードに対応する複数の電源再開要求がなされた場合，該複数の電源再開要求を１つの要求と判断し，前記複数の電源再開要求に対応する前記同一のシステムの動作モードを実行することを特徴とする請求項２に記載の複写機システム。
【発明の詳細な説明】
【０００１】
【発明が属する技術分野】
本発明は，ユーザの使用環境に合わせて，たとえばファクシミリ送受信機能やプリンタ機能などの機能を拡張することのできる，いわゆる複合型のデジタル複写機などの複写機システムに関し，特に，メインスイッチの操作以外にシステムへの電源供給モード（省電力制御）を複数備えた複写機システムに関する。
【０００２】
【従来の技術】
従来，複写機システムやファクシミリ装置などにおいて，通常動作時に対して待機時の消費電力を節減するための制御が行われている。たとえば，ファクシミリ装置においては，特開昭５７−１６８５７３号公報に開示されているように，システム・コントロール・ユニット（制御回路）をマスターＣＰＵとスレーブＣＰＵの２つで構成させ，待機状態ではスレーブＣＰＵのみを動作させてシステムの状態監視を行い，あらかじめ決定された主電源の投入要因を検出すると，スレーブＣＰＵが主電源の投入動作を行うと共に，主電源投入後はスレーブＣＰＵはマスターＣＰＵに隷属し，マスターＣＰＵからのコマンドに従って動作させることにより，待機時の消費電力の節減を行っている。
【０００３】
また，従来の複写機システムでは，消費電力の節減のために以下のような制御を行っている。まず，システム構成について説明すると，複合型のデジタル複写機にファクシミリ機能やプリンタ機能を拡張する場合，デジタル複写機の主制御部であるメインコントローラに，ファクシミリ機能やプリンタ機能などの各機能に対応する専用のサブコントローラを接続している。
【０００４】
このような一般的な複写機にあっては，電力の消費を低減するため，電力を最も消費する定着ヒータの設定温度をコピー時（通常モード）と，待機時（余熱モード）とにおいてそれぞれ異なる２種類の温度（コピー時温度＞待機時温度）を設定できるように設計され，余熱キーの押下により上記待機時温度にて複写機を制御することによって電力消費を抑制していた。
【０００５】
したがって，上記のような拡張対象のサブコントローラをメインコントローラに接続して機能拡張を行うような複写機システムの省電力制御にあっても，操作部に設けられている余熱キーの押下を検出し，この押下信号に基づいて余熱モードに移行していた。
【０００６】
特に，上記のような複写機システムでは，システム電源を立ち上げる要因が複数存在する機能，たとえば本体のメインＳＷがＯＮ状態の場合でもシステムへの電源供給を遮断する動作モード，およびメインＳＷがＯＦＦ状態であってもシステムへの電源が供給が行われる動作モードを設けることにより，省電力制御を行っている。
【０００７】
【発明が解決しようとする課題】
しかしながら，上記に示されるような従来の複写機システムにあっては，本体のメインＳＷのＯＮ／ＯＦＦ状態に対応したシステムの状態（モード）がわかりずらいため，オペレータがシステム状態の状態を確認したり，次の操作を行う場合に誤解が生じ，装置の状況を的確に把握しずらかったり，把握するまでに時間がかかるなどの問題点があった。
【０００８】
また，システムへの電源供給（省電力制御）の再開要因が複数存在すると，同一のモード移行が要求される要因も複数存在し，その結果，１つ１つの要因を検出する回路が必要となるため，システム構成を複雑化したり，装置自体のコストアップを招来するという問題点があった。
【０００９】
本発明は，上記に鑑みてなされたものであって，メインＳＷのＯＮ／ＯＦＦ状態に対応したシステム状態をわかりやすくし，オペレータに対するシステム状態の誤解を排除し，的確な電源投入操作を可能にすることを第１の目的とする。
【００１０】
また，同一のモード移行が要求される要因を１つの要因として検出することにより，システム構成を簡略化させると共に，装置のコストダウンを図ることを第２の目的とする。
【００１１】
【課題を解決するための手段】
上記の目的を達成するために，請求項１に係る複写機システムにあっては，メインスイッチの操作によって電源供給モード以外にシステムへの電源供給モードを複数設定可能な複写機システムにおいて，前記メインスイッチのオン／オフの状態に対応した複数の設定可能な前記システムへの電源供給モードの表示，およびシステムの動作モードを設定するための表示手段と，前記メインスイッチがオフ状態の，前記電源供給モード以外の前記システムへの電源供給モードの場合には，前記表示手段に表示される前記システムの動作モードの表示のうちオペレータ操作要因となる表示を停止し，前記メインスイッチがオン状態の前記電源供給モードの場合には前記表示手段にオペレータ操作を含む全ての操作要因を表示させるように制御するメイン制御手段と，を備えたものである。
【００１３】
また，請求項２に係る複写機システムにあっては，前記メイン制御手段は，前記システムの動作モードを複数設定可能であって，前記システムへの電源供給再開要因に応じて複数設定可能な前記システムの動作モードのうちいずれかを実行するものである。
【００１４】
すなわち，上記第１，第２の発明において，たとえばメインスイッチがＯＦＦ状態で電源供給モード以外のシステムへの電源供給モードの場合には，オペレータ操作をマスクし，メインスイッチがＯＮ状態の電源供給モードのときにはオペレータ操作を含むすべての要因を検出し，システムへの電源供給を行うことにより，オペレータに対するシステム状態の誤解を排除する。
【００１５】
また，請求項３に係る複写機システムにあっては，前記メイン制御手段は，同一のシステムの動作モードに対応する複数の電源再開要求がなされた場合，該複数の電源再開要求を１つの要求と判断し，前記複数の電源再開要求に対応する前記同一のシステムの動作モードを実行するものである。
【００１６】
すなわち，同一のモード移行が要求される要因を１つの要因として検出することにより，該要因検出のための回路構成を削減する。
【００１７】
【発明の実施の形態】
以下，本発明の一実施例を添付図面を参照して説明する。
【００１８】
（実施例の構成）
図１は，本実施例に係る複写機システムの制御部における構成を示すブロック図である。図において，この制御部は，大きくは，複写機システム全体を統括的に制御するメイン制御手段としてのメインコントローラ１０１と，オプションとして追加され，たとえばファクシミリ機能を複写機システムに追加する場合などに用いられているサブコントローラ１０２と，複写機システムの状態を表示したり，各種モードを設定するための操作部１０３と，メインコントローラ１０１とサブコントローラ１０２・操作部１０３に電源を供給する電源ユニット（ＰＳＵ）１０４とから構成されている。
【００１９】
また，１３０はメインコントローラ１０１に接続され，装置外部に設けられたメインＳＷであり，メインＳＷ１３０のＯＮ／ＯＦＦ状態を示すメインＳＷ信号がメインコントローラ１０１にサブコントローラ１０２に接続された場合には，この両者に入力されるようになっている。
【００２０】
メインコントローラ１０１は，マイクロコンピュータシステムを搭載した構成となっている。すなわち，あらかじめプログラムされた制御プログラムに基づいて実際の制御を実行するＣＰＵ１０５と，制御プログラムやその制御に必要なデータを格納しておくＲＯＭ１０６と，制御途中のデータを格納するワーキングメモリとして用いられるＲＡＭ１０７と，複写機に設けられているセンサやモータ・定着ヒータ（図示せず）などの負荷の制御を実行するＰＩＯ１０８と，サブコントローラ１０２との通信を行うシリアルＩ／Ｆ１０９と，操作部１０３との通信を行う操作部Ｉ／Ｆ１１０と，後述する電源制御回路１１１とを備えている。
【００２１】
電源制御回路１１１は，サブコントローラ１０２が接続されていない場合にメインＳＷ１３０のＯＮ／ＯＦＦ状態を電源制御信号として電源ユニット（ＰＳＵ）１０４に伝え，メインコントローラ１０１に供給される電源ＶｃｃＳＷをＯＮ／ＯＦＦする構成となっている。なお，１２７はオープンコレクタ回路である。
【００２２】
また，サブコントローラ１０２を接続した場合，メインＳＷ１３０の状態はサブコントローラ１０２にも伝えられ，さらにメインコントローラ１０１の電源制御回路１１１の制御が無効になり，電源制御信号はサブコントローラ１０２が制御する構成となっている。
【００２３】
さらに，サブコントローラ１０２は，メインコントローラ１０１と同様にマイクロコンピュータなどにより構成され，本実施例の場合，ファクシミリ機能を複写機システムに追加するものである。
【００２４】
このサブコントローラ１０２は，メインコントローラ１０１と同様に，制御プログラムに基づいて実際の制御を実行するＣＰＵ１１２と，制御プログラムや制御に必要なデータを格納しておくＲＯＭ１１３と，制御途中のデータを格納するワーキングメモリとして用いるＲＡＭ１１４と，メインコントローラ１０１との通信を行うシリアルＩ／Ｆ１１５と，ＰＩＯ１１６とを備えている。
【００２５】
また，サブコントローラ１０２には，常時通電電源Ｖｃｃが供給されており，メインコントローラ１０１がＯＦＦしてもサブコントローラ１０２の動作を実行できる構成となっている。また，サブコントローラ１０２は，メインコントローラ１０１の復帰トリガとして回線呼び出し信号と原稿セット信号・圧板開信号の監視を行うように構成されている。また，１２８はオープンコレクタ回路である。
【００２６】
操作部１０３は，複写機システムの状態を表示するＬＣＤ／ＬＥＤ１２０と，オペレータが操作するキー１２１と，ＬＣＤ／ＬＥＤ１２０およびキー１１９を制御し，メインコントローラ１０１への押下キー情報を伝えたり，メインコントローラ１０１の制御による表示を行う操作制御部１２１と，表示手段としての余熱ＬＥＤ１２２と，余熱キー１２３とを備えている。
【００２７】
電源ユニット（ＰＳＵ）１０４は，メインコントローラ１０１とサブコントローラ１０２・操作部１０３に電源を供給するユニットであり，内部にＶｃｃ遮断回路１２５を備え，メインコントローラ１０１の制御信号によりメインコントローラ１０１側に供給する電源ＶｃｃＳＷをＯＮ／ＯＦＦするように構成されている。電源Ｖｃｃは常時通電状態となっており，サブコントローラ１０２とメインコントローラ１０１の一部回路に電源を供給するものである。
【００２８】
また，余熱キー１２３の状態はメインコントローラ１０１のＰＩＯ１０８とサブコントローラ１０２のＰＩＯ１１６との何れからでも監視できる回路構成となっている。また，メインコントローラ１０１の電源ＶｃｃＳＷ遮断時において，余熱キー１２３およびメインＳＷ１３０の信号をサブコントローラ１０２が検知できるように常時通電電源Ｖｃｃによってプルアップしている。
【００２９】
また，メインコントローラ１０１のＰＩＯ１０８入力にシリーズで挿入されているダイオード１２５は，メインコントローラ電源ＶｃｃＳＷがＯＦＦ時に，常時通電電源Ｖｃｃがメインコントローラ１０１内の回路に回り込まないように設けられている。
【００３０】
余熱ＬＥＤ１２２は，メインコントローラ１０１とサブコントローラ１０２のＬＥＤ制御信号をオープンコレクタ回路１２６をワイヤードオアで接続し，常時通電電源Ｖｃｃでプルアップされた回路構成となっており，メインコントローラ１０１とサブコントローラ１０２の何れかで余熱ＬＥＤ１２２を制御できる構成となっている。なお，本実施例における電源制限信号の真理表を表１に示す。
【００３１】
【表１】
0003553711.tif 000002
【００３２】
（実施例の動作）
次に，複写機システムの制御部における動作について
（１）サブコントローラ１０２が未接続である場合，
（２）サブコントローラ（ファクシミリコントロールユニット：ＦＣＵ）１０２が接続された場合，
の２つ場合に分けて説明する。ここで，ＦＣＵはファクシミリ送受信などのファクシミリ機能に関する制御を実行するサブコントローラ１０２である。
【００３３】
なお，サブコントローラ１０２の装着状態およびその機能の検出は，メインコントローラ１０１とサブコントローラ１０２とが相互に相手の状態を確認しながら信号伝送を行うハンドシェーク方式を用いる。すなわち，あらかじめ設定されたアプリケーションとシステム本体とのコマンドのハンドシェークにより行われる。
【００３４】
（１）サブコントローラ１０２が未接続である場合
図２は，サブコントローラ１０２が未接続である場合におけるモード状態遷移図であり，２０１は通常動作モード，２０２は余熱モード，２０３は省電力モードである。なお，これらの各モードの詳細については後述する。以下，図２において，メインコントローラ１０１による現在のモードから次のモードへの移行制御をａ〜ｅの順に説明する。
【００３５】
ａ：通常動作モード２０１から余熱モード２０２への移行
通常動作モード２０１の状態で制御されている場合において，システムのアイドル状態を一定時間継続して検出し，さらに操作部１０３からの余熱キー１２３押下検出の通知を受信した場合，メインコントローラ１０１は，余熱ＬＥＤ１２２を点灯し，操作部１０３に対して表示停止を通知する。これにより，システムは余熱モード２０２に移行される。
【００３６】
ｂ：余熱モード２０２から通常動作モード２０１への移行
余熱モード２０２の状態で制御されている場合において，メインコントローラ１０１は，圧板開や原稿セットのセンサ入力を検出した場合，あるいは操作部１０３からの余熱キー１２３押下の検出通知を受信した場合，余熱ＬＥＤ１２２の消灯を行い，さらに操作部１０３に対して表示再開の要求を行う。これにより，システムは通常動作モード２０１に移行される。
【００３７】
ｃ：余熱モード２０２から省電力モード２０３への移行
余熱モード２０２の状態で制御されている場合において，システムのアイドル状態を一定時間継続して検出した場合，メインコトローラ１０１はメインスイッチオフ要求信号を出力する。これにより，メインＳＷ１３０がＯＦＦされ，システムへの電源供給停止要求信号がアサートされる。そして，電源ユニット（ＰＳＵ）１０４がシステムへの電源供給を停止することにより，システムは省電力モード２０３に移行される。
【００３８】
ｄ：通常動作モード２０１から省電力モード２０３への移行
通常動作モード２０１の状態で制御されている場合において，メインＳＷ１３０がオペレータによりＯＦＦされると，そのメインＳＷ１３０のステータス信号が電源ユニット（ＰＳＵ）１０４に対するシステム電源供給停止信号となり，電源ユニット（ＰＳＵ）１０４はシステムへの電源供給を停止する。これにより，システムは省電力モード２０３に移行される。
【００３９】
ｅ：省電力モード２０３から通常動作モード２０１への移行
省電力モード２０３の状態で制御されている場合において，メインＳＷ１３０がオペレータによりＯＮされると，システム電源供給停止信号がネゲートされ，電源ユニット（ＰＳＵ）１０４はシステムへの電源供給を再開する。これにより，システムは通常動作モード２０１に移行される。
【００４０】
（２）サブコントローラ（ファクシミリコントロールユニット：ＦＣＵ）１０２が接続された場合
図３は，サブコントローラ（ファクシミリコントロールユニット：ＦＣＵ）１０２が接続された場合におけるモード状態遷移図であり，２０１は通常動作モード，２０２は余熱モード，３０１は簡易夜間モード，３０２は夜間省電力モード，３０３は余熱省電力モードモードである。なお，これらの各モードの詳細については後述する。
【００４１】
以下，図３において，サブコントローラ（ファクシミリコントロールユニット：ＦＣＵ）１０２が接続された場合における現在の制御モードから次のモードへの移行をＡ〜Ｊの順にわけて説明する。
【００４２】
Ａ：通常動作モード２０１から余熱モード２０２への移行
通常動作モード２０１の状態で制御されている場合において，システムのアイドル状態を一定時間継続して検出した場合，あるいは操作部１０３からの余熱キー１２３押下検出の通知を受信した場合，メインコントローラ１０１は，余熱ＬＥＤ１２２を点灯し，操作部１０３に対して表示停止要求を通知する。これにより，システムは余熱モード２０２に移行される。すなわち，同一モード移行が要求される要因については１つの要因として検出する。
【００４３】
Ｂ：余熱モード２０２から余熱省電力モード３０３への移行
余熱モード２０２の状態で制御されている場合において，システムのアイドル状態を一定時間継続して検出されると，メインコントローラ１０１からのシステム電源供給停止要求にしたがって，サブコントローラ１０２はシステム電源供給停止要求信号をアサートする，これにより，システムは余熱省電力モードに移行される。
【００４４】
Ｃ：余熱モード２０２から通常動作モード２０１への移行
余熱モード２０２の状態で制御されている場合において，メインコントローラ１０１は，圧板開や原稿セットのセンサ入力を検出した場合，あるいは操作部１０３からの余熱キー１２３押下の検出通知を受信した場合，余熱ＬＥＤ１２２の消灯を行い，さらに操作部１０３に対して表示再開の要求を行う。これにより，システムは通常動作モード２０１に移行される。すなわち，同一モード移行が要求される要因については１つの要因として検出する。
【００４５】
Ｄ：余熱モード２０２から簡易夜間モード３０１への移行
余熱モード２０２の状態で制御されている場合において，メインコントローラ１０１は，メインＳＷ１３０のＯＦＦを検出すると，余熱ＬＥＤ１２２を消灯し，システムを簡易夜間モード３０１へ移行させる。
【００４６】
Ｅ−１／Ｅ−２：余熱省電力モード３０３から通常動作モード２０１，または余熱モード２０２への移行
余熱省電力モード３０３の状態で制御されている場合において，余熱キー１２３の押下，あるいは圧板開や原稿セットのセンサ入力，通信回線からの呼び出し信号の入力がサブコントローラ１０２において検出されると，余熱ＬＥＤ１２３を消灯させ，システム電源供給停止信号をネゲートする。
【００４７】
さらに，システム電源の供給再開後，サブコントローラ１０２はシステム電源供給再開の要因をメインコントローラ１０１に通知し，このときシステム電源の供給再開の要因が余熱キー１２３の押下や圧板開や原稿セットのセンサ入力の検出である場合，操作部１０３に対して表示再開要求を行って，システムを通常動作モード２０１に移行させる。
【００４８】
また，上記において，通信回線からの呼び出し信号の入力検出であった場合，操作部１０３に対して表示再開要求を行わず，システムを余熱モード２０２に移行させる。
【００４９】
Ｆ：通常動作モード２０１から簡易夜間モード３０１への移行
通常動作モード２０１の状態で制御されている場合において，メインコントローラ１０１はメインＳＷ１３０のＯＦＦ状態を検出すると，操作部１０３に対して表示停止要求を行い，システムを簡易夜間モード３０１へ移行させる。
【００５０】
Ｇ：簡易夜間モード３０１から通常動作モード２０１への移行
簡易夜間モード３０１の状態で制御されている場合において，メインコントローラ１０１はメインＳＷ１３０のＯＮ状態を検出すると，操作部１０３に対して表示再開要求を行い，システムを通常動作モード２０１へ移行させる。
【００５１】
Ｈ：簡易夜間モード３０１から夜間省電力モード３０２への移行
簡易夜間モード３０１の状態で制御されている場合において，メインコントローラ１０１は，システムのアイドル状態を一定時間継続して検出すると，サブコントローラ１０２に対してシステム電源供給停止要求を行う。次いで，サブコントローラ１０２はメインコントローラ１０１からのシステム電源供給停止要求に基づいて，システム電源供給停止信号をアサートする。これにより，システムは夜間省電力モード３０２へ移行される。
【００５２】
Ｉ−１／Ｉ−２：夜間省電力モード３０２から簡易夜間モード３０１，または通常動作モード２０１への移行
夜間省電力モード３０２の状態で制御されている場合において，サブコントローラ１０２は通信回線からの呼び出し信号の検出した場合，あるいはメインＳＷ１３０のＯＮ状態を検出した場合，システム電源供給信号をネゲートする。これにより，システム電源の供給が再開される。すなわち，同一モード移行が要求される要因については１つの要因として検出する。
【００５３】
システム電源の供給再開後，サブコントローラ１０２はシステム電源供給再開の要因をメインコントローラ１０１に通知する。そして，この要因が通信回線からの呼び出し信号の検出であった場合，操作部１０３に対して表示再開要求を行わず，システムは簡易夜間モード３０１へ移行される。
【００５４】
また，上記において，メインＳＷ１３０のＯＮ状態を検出した場合は，操作部１０３に対して表示再開要求を行って，システムを通常動作モード２０１に移行させる。
【００５５】
Ｊ：余熱省電力モード３０３から夜間省電力３０２への移行
余熱省電力モード３０３の状態で制御されている場合において，メインＳＷ１３０のＯＦＦ状態を検出した場合，サブコントローラ１０２は余熱ＬＥＤ１２２を消灯させ，システムを夜間省電力３０２へ移行させる。
【００５６】
次に，各モードごとにその内容を説明する。
【００５７】
▲１▼  通常動作モード２０１
このモードは通常に動作を行うことができる動作モードであり，すべての入力，たとえばサブコントローラ１０２としてファクシミリコントロールユニット：ＦＣＵが接続された場合において，オペレータ入力や通信回線からのリンギング信号入力・ファクシミリ網からの呼び出し信号入力に応じた処理を実行する。
【００５８】
すなわち，この通常動作モード２０１では，
システム電源：ＯＮ
余熱ＬＥＤ１２２：ＯＦＦ
定着ヒータ：一定温度（即時プリントアウトが可能な温度）
の制御が実行される。
【００５９】
なお，上記システム電源のＯＮ／ＯＦＦは，メインコントローラ１０１に対する電源ユニット（ＰＳＵ）１０４のＶｃｃ遮断回路１２５によるＶｃｃＳＷのＯＮ／ＯＦＦに相当し，ＯＮ状態でシステムへの電源が供給され，ＯＦＦ状態で電源供給が遮断される。ただし，システムの一部回路へは常に電源が供給されている。
【００６０】
▲２▼  余熱モード２０２
余熱ＬＥＤ１２２を除くすべての表示が消灯され，定着ヒータ設定温度が通常動作モード２０１に対して低い温度で設定されている状態にし，余熱キー１２３の入力の検出を行っている。
【００６１】
すなわち，この余熱モード２０２では，
システム電源：ＯＮ
余熱ＬＥＤ１２２：ＯＮ
定着ヒータ：消費電力を抑制するために通常動作モード２０１より低い温度
の制御が実行される。
【００６２】
▲３▼  省電力モード２０３
システム電源がＯＦＦされている状態で，オペレータによるメインＳＷ１３０のＯＮ操作により通常動作モード２０１へ移行するモードである。
【００６３】
すなわち，この省電力モード２０３では，
システム電源：ＯＦＦ
余熱ＬＥＤ１２２：ＯＦＦ
定着ヒータ：ＯＦＦ
の制御が実行される。
【００６４】
▲４▼  余熱省電力モード３０３
システム電源がＯＦＦされている状態で，オペレータによる余熱キー１２３入力の検出を行っているモードである。
【００６５】
すなわち，この余熱省電力モード３０３では，
システム電源：ＯＦＦ
余熱ＬＥＤ１２２：ＯＮ
定着ヒータ：ＯＦＦ
の制御が実行される。
【００６６】
▲５▼  簡易夜間モード３０１
すべての表示が消灯され，定着ヒータへの電力供給が停止される状態のモードである。このモードにおけるオペレータ操作は，メインＳＷ１３０のみ受け付けられる。また，サブコントローラ（ＦＣＵ）１０２が接続された場合，通信回線からの呼び出し信号，ファクシミリ網からの呼び出し信号の入力検出も行われている。
【００６７】
すなわち，この簡易夜間モード３０１では，
システム電源：ＯＮ
余熱ＬＥＤ１２２：ＯＦＦ
定着ヒータ：ＯＦＦ
の制御が実行される。
【００６８】
▲６▼  夜間省電力モード３０２
システム電源供給が停止している状態で，メインＳＷ１３０のＯＮ操作以外のオペレータ入力は受け付けない。また，サブコントローラ１０２としてＦＣＵが接続された場合，通信回線からのリンギング信号，ファクシミリ網からの呼び出し信号の入力検出によりモード移行される。
【００６９】
すなわち，この夜間省電力モード３０２では，
システム電源：ＯＦＦ
余熱ＬＥＤ１２２：ＯＦＦ
定着ヒータ：ＯＦＦ
の制御が実行される。
【００７０】
また，上記実施例において，オペレータによって，サブコントローラ１０２が未接続の場合，“省電力モード２０３へ移行する，移行しない”，また，サブコントローラ１０２が接続された場合，“余熱省電力モード３０３へ移行する，移行しない”の設定を操作部１０３を介して行われる。
【００７１】
そして，オペレータの設定に基づいてモード遷移が実行される。これは比較的，頻繁にコピーまたはファクシミリが使用されるような環境である場合，省電力モード２０３あるいは余熱省電力モード３０３へ移行した場合，各コントローラへの電源供給が停止してしまうため，初期化のための処理時間が必要となるので，システムが使用できるようになるまでの時間が，余熱モード２０２や簡易夜間モード３０１と比較して長くかかる。このため，上記のようにオペレータの使用環境に合わせた設定が行えるようになっている。
【００７２】
なお，以上の実施例ではサブコントローラ１０２としてファクミリコントロールユニット（ＦＣＵ）を接続してファクシミリ機能の場合を例にとって説明したが，他の機能であっても適用することができる。たとえば，プリンタ機能を接続する場合には以下のように適用することができる。
【００７３】
（１）オンラインプリンタ
オンラインプリンタの場合，基本的にはアプリケーションが接続されていない場合とほぼ同じであるが，オペレータと本体との位置は離れていることが前提となるため，一定時間のアイドル検出からのメインＳＷ１３０のＯＦＦは行わず，オペレータによりメインＳＷ１３０がＯＦＦされた場合のみ省電力モード２０３への移行を実行する。
【００７４】
（２）オフラインプリンタ（小容量のメディア使用の場合）
フロッピーディスクなどの小容量メディアを使用する場合，印刷するときには装置の設置場所に行ってメディアを装置に挿入し，印刷を行った後に，メディアをぬいてしまうので，ほぼ通常のコピーを使用するのと同様な使用形態が想定されるが，動作モードとしては，ファクシミリ機能とほぼ同様なモード遷移を実行する。
【００７５】
また，夜間省電力モード３０１の代わりに省電力モード２０３になり，フロッピーディスクが挿入されていない状態での一定時間のアイドル検出で，メインコントローラ１０１によりメインＳＷ１３０がＯＦＦされる。
【００７６】
さらに，余熱省電力モード３０３では，フロッピーディスクの挿入検出部のみに電源が供給され，フロッピーディスクの挿入が検出された場合，メインコントローラ１０１への電源供給を再開し，通常動作モード２０１へ移行する。
【００７７】
（３）オフラインプリンタ（大容量のメディア使用の場合）
ＭＯディスク（光磁気ディスク）などの大容量のメディアを使用する場合，メディアを挿入したままでの使用が想定されるため，メディアが挿入されている場合でも，一定時間のアイドル状態が検出されると，メインコントローラ１０１によりメインＳＷ１３０がＯＦＦされる。
【００７８】
また，上記において印刷を行う場合は，オペレータがメインＳＷ１３０をＯＮし，動作モードの遷移は，サブコントローラ１０２がメインコントローラ１０１に接続されていない状態と同様になる。
【００７９】
（実施例の効果）
次に，以上説明してきた実施例が奏する効果について列記する。
【００８０】
第１に，システム電源を立ち上げる要因が複数存在する機能を有し，メインＳＷ１３０がＯＮ状態の場合でもシステムへの電源供給を遮断する動作モード，およびメインＳＷ１３０がＯＦＦ状態でもシステムへの電源供給が行われる動作モードが存在する複写機システムにおいて，メインＳＷ１３０がオペレータへのシステム状態表示を兼ねるため，メインＳＷ１３０がＯＦＦ状態の場合にはオペレータ操作による要因をマスクし，一方，メインＳＷ１３０がＯＮ状態の場合にはオペレータ操作を含むすべての要因を検出し，システムへの電源供給を実行するため，オペレータに対するシステム状態の誤解を排除することができる。
【００８１】
第２に，同一のモード移行が要求される要因を１つの要因として検出するため，要因検出のための回路部分が削減され，そのコストダウンおよびシステム構成の簡略化を実現することができる。
【００８２】
【発明の効果】
以上説明したように，本発明に係る複写機システム（請求項１〜３）によれば，メインスイッチがＯＦＦ状態の電源供給モード以外のシステムへの電源供給モードのときはオペレータ操作をマスクし，メインスイッチがＯＮ状態の電源供給モードのときにはオペレータ操作を含むすべての要因を検出し，システムへの電源供給を行うため，オペレータに対するシステム状態の誤解を排除することができ，的確な電源投入操作が実現する。また，このような本発明に係る複写機システムでは，メインスイッチがオペレータへのシステム状態表示を兼ねることができる。
【００８３】
また，本発明に係る複写機システム（請求項４）によれば，同一のモード移行が要求される要因を１つの要因として検出することにより，該要因検出のための回路構成を削減することが可能となるため，その分のコストダウンおよびシステム構成の簡略化を図ることができる。
。
【図面の簡単な説明】
【図１】本実施例に係る複写機システムの制御部における構成を示すブロック図である。
【図２】本実施例に係るサブコントローラが未接続である場合におけるモード状態遷移図である。
【図３】本実施例に係るサブコントローラ（ファクシミリコントロールユニット：ＦＣＵ）が接続された場合におけるモード状態遷移図である。
【符号の説明】
１０１  メインコントローラ          １０２  サブコントローラ
１０３  操作部                      １０４  電源ユニット（ＰＳＵ）
１１１  電源制御回路                １２２  余熱ＬＥＤ
１２３  余熱キー                    １３０  メインＳＷ
【図１】
0003553711.tif 000003
【図２】
0003553711.tif 000004
【図３】
0003553711.tif 000005